(57)【特許請求の範囲】
【請求項１】
氷上のアイスホッケー用スケートのブレードの特性を模倣するように意図された、インラインスケートのインラインフレーム（１）において、前記インラインフレーム（１）はシャーシを含み、前記シャーシにおいては、少なくとも１つの第一のウィール（１４）と少なくとも１つの第二のウィール（１５）が前記シャーシの軸受内に取り付けられて、前記インラインフレーム（１）の長さ方向に配置され、前記インラインフレームのシャーシは、
上側シャーシ部（５）と、
下側シャーシ部（６）と、を含み、前記上側シャーシ部と前記下側シャーシ部が連結要素（７）によって係合されており、
前記上側シャーシ部は第一の接触面（１１）を含み、前記下側シャーシ部は第二の接触面（１９）を含み、そのうちの少なくとも一方は曲線状であり、
前記第一の接触面と前記第二の接触面が、前記インラインフレーム（１）の長さ方向に、前記インラインフレーム（１）の長さ方向に相互に関して転動可能となるように構成されており、
前記上側シャーシ部は、前記上側シャーシ部と前記下側シャーシ部の中立位置から少なくとも後方に転動可能であり、前記中立位置では、前記上側シャーシ部に取り付けられるブーツ（２）の底面が水平に配置され、
前記上側シャーシ部の後方への転動中に、前記第一の接触面が前記第二の接触面に対して前記長さ方向に転動して、前記上側シャーシ部と前記下側シャーシ部との間の後方への転動運動を与えるように、前記シャーシが構成されていることを特徴とするインラインフレーム（１）。
【請求項２】
請求項１に記載のインラインフレーム（１）において、
前記第一の接触面（１１）が曲線状であり、前記第二の接触面（１９）が平坦であることを特徴とするインラインフレーム（１）。
【請求項３】
請求項１に記載のインラインフレーム（１）において、
前記第一の接触面（１１）が平坦であり、前記第二の接触面（１９）が曲線状であることを特徴とするインラインフレーム（１）。
【請求項４】
請求項１に記載のインラインフレーム（１）において、
前記第一の接触面（１１）が曲線状であり、前記第二の接触面（１９）が曲線状であることを特徴とするインラインフレーム（１）。
【請求項５】
請求項１乃至４の何れか１項に記載のインラインフレーム（１）において、
前記連結要素（７）が少なくとも１つの心棒（２３）と少なくとも１つのブッシュ（２４）を含むことを特徴とするインラインフレーム（１）。
【請求項６】
請求項１乃至５の何れか１項に記載のインラインフレーム（１）において、
前記ブッシュ（２４）がゴムまたはこれに類する材料からなることを特徴とするインラインフレーム（１）。
【請求項７】
請求項１乃至６の何れか１項に記載のインラインフレーム（１）において、
前記ブッシュ（２４）が少なくとも１つのばねからなることを特徴とするインラインフレーム（１）。
【請求項８】
請求項１乃至４の何れか１項に記載のインラインフレーム（１０）において、
前記上側シャーシ部（１５）と前記下側シャーシ部（１６）の間に適合し、少なくとも部分的に前記上側シャーシ部または前記下側シャーシ部に当たって、前記第一の接触面（１１）と前記第二の接触面（１９）の少なくとも一方に対応する接触面を含む、前記上側または下側シャーシ部の交換可能なシャーシ要素を形成するように構成された別個のシャーシ要素（１８）をさらに含むことを特徴とするインラインフレーム（１０）。
【請求項９】
請求項８に記載のインラインフレーム（１０）において、
前記交換可能なシャーシ（２８）が別個の前部（２８ａ）と別個の後部（２８ｂ）を含むことを特徴とするインラインフレーム（１０）。
【請求項１０】
請求項８に記載のインラインフレームにおいて、
前記シャーシ要素が、前記インラインフレームの長さ方向に前記上側および下側シャーシ部に関して調整可能に配置されることを特徴とするインラインフレーム。
【請求項１１】
請求項１乃至１０の何れか１項に記載のインラインフレームにおいて、
前記連結要素（７）が、前記インラインフレームの横方向に、基本的に水平に配置された心棒（２３）を含むことを特徴とするインラインフレーム。
【請求項１２】
請求項１乃至１１の何れか１項に記載のインラインフレームにおいて、
前記連結要素（７）が少なくとも２つのブッシュ（２４）を有することを特徴とするインラインフレーム。
【請求項１３】
請求項１乃至１２の何れか１項に記載のインラインフレームにおいて、
前記インラインフレーム（１）がブーツ（２）と一体化されることを特徴とするインラインフレーム。
【請求項１４】
請求項１乃至１３の何れか１項に記載のインラインフレームを備えるインラインスケート。
【請求項１５】
請求項１に記載のインラインフレームにおいて、
前記中立位置は、前記上側シャーシ部のトウ部とヒール部に均等に分布した圧力が加わったときの前記上側シャーシ部と前記下側シャーシ部の相互の位置であり、前記上側シャーシ部のトウ部とヒール部は、前記上側シャーシ部の前記長さ方向における両側に位置することを特徴とするインラインフレーム。
【発明の詳細な説明】
【技術分野】
【０００１】
本発明はある種のローラースケートまたはこれに類するものに関する。より具体的には、本発明は特許請求の範囲によるローラースケートに関する。
【背景技術】
【０００２】
よいアイスホッケーの選手となるためには、スケーティングとホッケーのやり方を何千時間も練習することが必要である。アイスホッケーの選手の多くは、夏の間、氷上でホッケーのトレーニングや練習ができないため、毎年、何か月分かの大切な練習やトレーニング時間を失っている。この問題に対する代替解決策は、夏季の期間はインラインスケートでスケーティングをすることである。
【０００３】
従来のインラインスケートのウィールフレームと、アイスホッケーの選手が氷上で使用するスケートのブレードとの間では、相互に特徴が大きく異なる。
【０００４】
インラインスケートのフレームは、乗っている面との接触面が長く、平坦であるが、その一方で、アイスホッケーの選手が氷上で履くスケートのブレードは完全に平坦ではなく、その長さの全体または一部がアーチ型である。これは、氷上においてスケートで滑走する時のほうが、バランス要素が実質的により重要であることを意味する。接触面が長いと、方向転換もより難しくなる。このような相違点から、インラインスケートのフレームを用いたトレーニングを氷上でのホッケー用ブレードに反映させられる可能性は非常に小さく、アイスホッケーの選手の中で夏場のシーズン前トレーニングにインラインスケートを使用する人がほとんどいない理由を説明するものといってもよい。
【０００５】
ずっと以前から、アイスホッケーの選手がシーズン前のトレーニングをインラインスケートで行うことに伴う問題の解消を試みたさまざまな解決方法が多数ある。これらの既存の設計の中で、満足な問題解決に成功したものは、そのようなわけで皆無である。
【０００６】
これまでの解決策の主な問題は、これらの設計では、氷上でのスケーティング時に見られるバランス要素が実現されないからである。アイスホッケー用スケートのブレードは全体的または部分的にアーチ型であるため、氷との接触が小さくなり、その結果、バランス要素がより困難なものとなる。氷上でのスケートのバランス要素こそ、氷上でのスケーティングを「通常の」インラインスケートを用いる場合より困難たらしめる要因である。しかし、ホッケー用スケートのブレードの接触域がより小さいことにより、一面ではそれを用いたスケーティングがより困難であったとしても、加速、前方／後方へのターンまたは方向転換の点では、インラインスケートフレームよりそれが有利であることは確かである。これは、スケータがアイススケートのブレード上では自分の重心をより調整しやすいからである。アイススケートのブレードの、滑走面と当たる接触域が短いことから、スケータは、足首やひざを曲げずに、自分の重力中心と足にかかる圧力を前後に調整することができる。その結果、スケータは、「通常の」インラインスケートで滑走している時に感じられるのと同様には「引っかかって」いるように感じない。これは、アイススケートのブレードの場合、加速ストライド中、スケータがブレードに乗って前方に「転がる」ことができるため、ブレードと氷の間の接触が長時間、制御された方法で維持されるからである。インラインスケートのフレーム上では、より「全か無か」の原則でとなる。スケータは、自分の足首を曲げなければ、乗っている面から後方の３つの後方ウィールを浮かさざるを得ず、前輪だけが接触したままとなり、それだけでは蹴り出すことが難しい。一般的なインラインスケートフレームの場合はそれゆえ、接触域がより大きいために制御しやすいが、これは、氷上のスケートに比べて、高速なターンがはるかに難しくなり、加速もしにくいという問題を生じる。
【０００７】
いくつかの設計では、スケータが持つ「引っかかる」感覚の問題の解決を、ウィールの吊り下げ方を変えて、スケータが前傾姿勢を取って蹴り出した時に、滑走面から１つまたは２つのウィールだけが浮くようにすることによって試みている。これによって、スケータが（氷上で必要な場合と比較して）不必要な程度まで自分の足首を曲げずに、強力に蹴ることができるため、「引っかかる」感覚をある程度軽減させる。この設計の問題点は、スケータが氷上で持つバランス要素が依然として実現されない点である。
【０００８】
生理学的には、上記の相違の結果、スケータの筋活性は、氷上でスケートを履いて滑走する場合、インラインスケートでスケーティングを行うときとは全く異なる。フィットネスおよびスピードトレーニングの効果はほとんどが鍛えられる筋肉に集中するため、これはインラインスケートでのトレーニング効果を氷上スケーティングへと反映させる可能性は非常に低いことを意味しており、このことは、アイススケートを基にした競技における自身のパフォーマンスの向上を主目的として練習するアスリートにとって大きな不利益である。トレーニングとは、身体的特性を向上させるために、より高い目標を設定することによって、継続的に体にさまざまな方法で試練を与えることを意味する。たとえば、バランスはアイスホッケーの選手の主要な身体的特性の１つであるため、シーズン前のトレーニングにはまた、バランス能力を養い、ひいては向上へと導くトレーニングを含めるべきである。向上したバランス能力は、より効率的なスケーティングにつながり、これはひいては、氷上のスケータが同じフィットネスレベルでより長く滑走できることを意味する。さらに、優れたバランス能力は、技術的に万全な方法で、アイスホッケーの選手が直面するプレイにおける他のあらゆる局面、たとえば枠内シュート、パス、タックルおよびその他を実践するための基本要素である。
【０００９】
「通常の」インラインスケートのフレームを使って、バランス要素がたとえばアイスホッケーの選手が氷上で経験するものよりはるかに安易なシーズン前トレーニングを行った場合、その効果は望ましいものとは正反対となり、これは大きな欠点である。体がより安易なバランス要素に慣れてしまい、選手は、後に氷上スケートに戻った時、すべての局面が異なり、負担の大きいものと感じられる。これは主に、体がより安易なバランス要素に慣れてしまったことによって、スケーティングの効率とバランス能力が低下するからである。
【００１０】
本発明は、上記の問題を解決するために考案された。本発明の設計によれば、アイスホッケーの選手は、インラインスケートで、たとえば氷上と同じバランス要素の含まれるスケーティングを行うことができる。また、アイスホッケー選手が氷上で経験するものより難しいバランス要素でスケーティングを行うことも可能である。これによって、体のバランス感覚を鍛えられない既存の設計の問題が排除されるため、体はいやでもその動きを改善させる。あるいは、既存の設計では、たとえばアイスホッケーの選手が直面するプレイのすべての局面を技術的にうまく実行するための基本要素であるスケーティングの効率とバランスも十分に改善されない。さらに、本発明のバランス要素は、たとえばアイスホッケーの選手に氷上で起こるものと同様の筋活性をもたらす。これによって、フィットネスおよびスピードトレーニングの効果を氷上でのスケーティングに反映させることのできない既存の設計に伴う問題が排除される。さらに、本発明の設計によるウィール配置によって、ある位置での地面との接触域が従来のインラインスケートのフレームの場合より実質的に小さくなり、これが方向転換をしやすくするのに役立ち、さらに氷上でのアイススケートのブレードの特性を模倣する。
【００１１】
特許文献である国際公開第０００９２２３号パンフレットによる設計は、２つの中間ウィールを個別のサスペンションに吊り下げることによって上記の問題の解決を試みるものである。この設計により、スケータはウィール上で３種類、すなわち３つの前方ウィール上、２つの中間ウィール上、または３つの後方ウィール上での姿勢をとることができる。これによって、スケータはある程度、「引っかかる」感覚を軽減させることができる。しかしながら、依然として、蹴り出し中にウィールが３つのみ地面と接触しており、表面との接触が非常に長くなるため、十分とは言えない。この設計では、特定の小さなバランス要素が実現でき、それはわずかに前後に動揺させることが可能であるからであるが、やはり３種類の姿勢においてのことに限られる。そのため、バランス要素は不確実で粗くなり、これによって、氷上で使用された時のアイススケートのブレードに伴う感覚のほとんどが失われる。したがって、この設計は前記問題を解決せず、これがこの設計を本発明との大きな相違である。
【００１２】
出願人、Ｓｋｉ  Ｒｏｓｓｉｇｎｏｌによる特許文献である欧州特許第０７８６２７５号明細書による設計は、第二の前方ウィールの上に回転中心を有する「クラップスケート」のような構造である。旋回点（回転中心）は、「引っかかる」感覚を軽減させる。この設計は、本発明と大きく異なり、全く別の目的を解決する。たとえば、この設計により提供できるバランス要素は非常に限られており、これによってアイスホッケー用スケートまたはこれに類するものとは全く関連性がなくなる。
【発明の概要】
【００１３】
本発明の主目的は、氷上でのスケーティング時のバランス要素を少なくとも模倣し、通常のアイススケートが提供できるものより困難なバランス要素で筋活性を提供することである。本発明の他の目的は、本発明の設計により実現されるフィットネスおよびスピードトレーニングの効果を氷上でのスケーティングに反映させることができるようにすることである。他の目的は、滑走時の方向転換を容易にすることである。本発明による設計のさらに他の目的は、既存の設計に伴う上記の問題、特に前述のような「引っかかる」感覚という問題を大幅に改善させることである。また他の目的は、運動トレーニングとしてインラインスケートを使用するスケータにとって加速からの移行をより穏やかにし、それによって滑走時の滑りにくさの感覚を軽減させることである。
【００１４】
以下に、例示のために本発明の現時点で好ましい実施形態を示す、添付の概略的な図面を参照しながら、本発明をより詳しく説明する。
【図面の簡単な説明】
【００１５】
【図１】図１は、本発明によるインラインウィールフレームを備えるインラインスケートを示す。
【図２】図２は、第一の実施形態によるインラインフレームの断面図を示す。
【図３】図３は、インラインフレームに含まれる上側シャーシ部の断面図をより詳細に示す。
【図４】図４は、インラインフレームに含まれる下側シャーシ部の断面図をより詳細に示す。
【図５】図５ａは、ジョイント機能をより詳細に示し、図５ｂは、ジョイント機能をより詳細に示し、図５ｃは、ジョイント機能をより詳細に示す。
【図６】図６ａは、本発明のインラインフレームの機能を示し、図６ｂは、本発明のインラインフレームの機能を示し、図６ｃは、本発明のインラインフレームの機能を示す。
【図７】図７ａは、本発明の一実施形態を示し、図７ｂは、本発明の一実施形態を示し、図７ｃは、本発明の一実施形態を示す。
【図８】図８ａは、本発明の一実施形態を示し、図８ｂは、本発明の一実施形態を示し、図８ｃは、本発明の一実施形態を示す。
【図９】図９ａは、本発明の一実施形態によるインラインフレームを示し、図９ｂは、本発明の一実施形態による別個のシャーシ要素の側方斜視図である。
【図１０】図１０は、本発明の一実施形態によるインラインフレームの側面図のイラストである。
【図１１】図１１ａは、本発明の一実施形態による別個のシャーシ要素の実施形態を描いており、図１１ｂは、本発明の一実施形態による別個のシャーシ要素の実施形態を描いており、図１１ｃは、本発明の一実施形態による別個のシャーシ要素の実施形態を描いている。
【発明を実施するための形態】
【００１６】
図面を参照すると、本発明によるインラインスケート用ウィールフレーム１を備えるインラインスケートが示されている。インラインフレーム１は、ブーツのシェル２またはこれに類するものに連結されることを意図される。ブーツ２は、トウ部３とヒール部４を有する。ブーツ２は、目的に適した何れかの既知の各種のブーツからなる。ブーツ２の種類は本発明の範囲を限定しないため、これについては本特許出願ではこれ以上詳しく説明しない。インラインフレーム１は、少なくとも１つの上側シャーシ部５と少なくとも１つの下側シャーシ部６を含む少なくとも１つのシャーシを含む。下側シャーシ部６は、少なくとも１つの第一のウィールと少なくとも１つの第二のウィールを含む。上側シャーシ部５と下側シャーシ部６は、少なくとも１つの連結および跳返要素７を介して相互に連結される。連結要素７によって、上側シャーシ部５と下側シャーシ部６は、図５ａ〜ｃに示されているものにより、インラインフレームの方向に沿って相互に関して回転することができる。
【００１７】
図３は、上側シャーシ部５の好ましい実施形態を示す。表示されている実施形態は、上側シャーシ部５の可能な実施形態の１つにすぎず、本発明の範囲を限定するとはみなされない。上側シャーシ部５は好ましくは、前方連結部８と、ブーツ２への取り付けを可能にする後方連結部９を含む。前方連結部８と後方連結部９は、代替的な実施形態において、１つの連結部に一体化されていてもよい。前方連結部８は、ブーツ２のトウ部３に連結されることになる。後方連結部９は、ブーツ２のヒール部４に連結されることになる。上側シャーシ部は、この例示的実施形態において、少なくとも２つの基本的に垂直な部分１０からなり、これは下側シャーシ部６の両方の外側に沿って延びる。あるいは、垂直部１０は、その目的のための他の適当な方向と形態を有していてもよい。垂直部１０間の距離は、最低でも下側シャーシ部６の幅を超える。垂直部１０の技術的効果は、ねじり剛性を増大させ、下側シャーシ部６と上側シャーシ部５の間の相対的運動を制約することである。上側シャーシ部５の底部には、２つの垂直部１０の間でフレームの長さ方向に、少なくとも１つの第一の接触面１１が設けられている。第一の接触面１１は、好ましい実施形態において、ラジアス形状のように曲線である。第一の接触面１１は、代替的な実施形態において、その目的のための他の適当なアーチ型の表面であってもよい。垂直方向への上側シャーシ部５には、少なくとも１つの貫通穴１２が形成されている。フレームを軽量化するために、垂直部１０に窩洞、穴またはこれらに類するものを形成することができる。本発明の変形では、上側シャーシ部５は、垂直部１０を設けずに構成してもよい。
【００１８】
図４は、下側シャーシ部６の好ましい実施形態を示す。下側シャーシ部は、少なくとも１つの第一のウィール１４と少なくとも１つの第二のウィール１５を備えた本体１３を含む。好ましい実施形態において、下側シャーシ部６は少なくとも１つの第三のウィール１６と少なくとも１つの第四のウィール１７を含む。それぞれの各ウィールは、先行技術によれば、下側シャーシ部６に関する軸受を通じて取り付けられる。図の実施形態では、各ウィールが玉軸受、ラジアス軸受またはこれらに類するものを介した軸受を通じて車軸１８に取り付けられている。下側シャーシ部６の本体１３の上部は、第一の実施形態において、少なくとも１つの第二の接触面１９からなり、これは図４の実施形態に示されているように平坦である。下側シャーシ部６には、垂直方向に、少なくとも１つの貫通穴２０が形成されている。
【００１９】
この例示的実施形態において、上側シャーシ部５と下側シャーシ部６は、少なくとも１つおよび好ましくは２つの補強要素２１を含む。図中、補強要素２１の例として、寸切ボルトと２つのねじが示されている。寸切ボルトは、上側シャーシ部５にねじで固定され、溝２２を通って下側シャーシ部６へと延びる。補強要素２１の技術的効果は、インラインフレーム１のねじり剛性が増大することである。上側シャーシ部５と下側シャーシ部６の間がねじれると、補強要素２１は溝２２の中で自由に移動する。代替的な実施形態において、インラインフレーム１は、下側シャーシ部６に補強要素２１と溝２２を設けずに構成してもよい。
【００２０】
図５ａ〜ｃは、例示的な連結要素７とその機能を示す。図に示される本発明の第一の実施形態において、連結要素７は、垂直方向に配置されて、下側シャーシ部６の貫通穴２０と上側シャーシ部５の貫通穴１２を通過する少なくとも１つの心棒２３からなる。技術的機能は、連結要素７が上側シャーシ部５と下側シャーシ部６をまとめて保持することである。心棒２３は、ねじ、ボルトまたはこれらに類するものからなっていてもよい。少なくとも１つのブッシュ２４が心棒２３の周囲に連結されている。ブッシュ２４は、その上側で、少なくとも１つのナット２５またはその他、この目的に適した構成要素によって一体に保持されてもよい。ブッシュ２４は、たとえばゴム、ゴム様の材料またはその目的に適したその他の材料からなっていてもよい。
【００２１】
以上で詳しく説明した部品によって、インラインフレームの固有のスムーズなバランス要素が得られる。図６ａ〜ｃは、これらの部品が共同で動作する時のインラインフレームの実際の機能を示しており、これを以下の文でより詳細に説明する。
【００２２】
上側シャーシ部５の曲線状に形成された第一の接触面１１が、下側シャーシ部６の平坦に形成された第二の接触面１９に当たるように載る。連結要素７は、上側シャーシ部５と下側シャーシ部６を一体に保持する。連結要素７は、柔軟で跳ね返ることができるブッシュ２４を含むため、上側シャーシ部５と下側シャーシ部６の間の運動が可能となる。スケータがブーツ２のトウ部３またはヒール部４に圧力をかけると、上側シャーシ部５の曲線状に形成された第一の接触面１１と下側シャーシ部６の平坦に形成された第二の接触面１９は相互に関して動く。好ましくは、曲線的に形成された第一の接触面１１は、平坦に形成された第二の接触面１９の上で転動する。ブッシュ２４はそれゆえ、増大したエネルギーを受けて、スケータが圧力をかけた側で圧縮される。圧力が解除されると、ブッシュ２４は、そのエネルギーを放出する弾力効果によって元の位置に戻る。心棒２３またはナット２５がどれだけきつく締められるか、およびブッシュ２４がどれだけ圧縮されるかによって、ある力での、下側シャーシ部６と上側シャーシ部５の間の運動レベルが異なる。心棒２３とナット２５を締めることによってブッシュが圧縮され、ある力での下側シャーシ部６と上側シャーシ部５の間の運動範囲が小さくなる。これに対して、心棒２３とナット２５が緩められると、ブッシュ２４の圧縮程度が小さくなり、ある力での下側シャーシ部６と上側シャーシ部５の間の運動量は、今度は大きくなる。
【００２３】
この例示的実施形態において、第一のウィール１４と第四のウィール１７は、第二のウィール１５と第三のウィール１６より垂直方向に高い位置に配置される。これは、ウィール１４、１５、１６または１７のうちの１つまたはそれ以上が地面と接触しないことを意味する。その結果、スケータは、トルクがかかっているときの地面との摩擦が４つすべてのウィールが地面と接触している場合より小さいと、より容易に自分の進行方向を転換することができる。その上、これによって、インラインフレーム１の特性が、氷上でのアイスホッケーのブレードの特性により近くなる。選択的な実施形態おいて、ウィールの少なくとも１つの直径を他のウィールより小さくすることも考えられる。その結果、スケータは、トルクがかかっているときの地面との摩擦が４つすべてのウィールが地面と接触している場合より小さいと、より容易に自分の進行方向を転換することができる。代替的な実施形態において、ウィールの少なくとも１つが他のウィールより垂直方向に高い位置に設置されることも考えられる。
【００２４】
図７ａ〜ｃを参照すると、本発明によるインラインフレームの第一の代替的な実施形態が示されている。この実施形態において、連結要素７は、基本的に水平方向に配置された少なくとも１つの心棒２３を含む。心棒２３は、下側シャーシ部の少なくとも１つのブッシュ２４の中に取り付けられる。
【００２５】
図８ａ〜ｃを参照すると、本発明によるインラインフレームの第二の代替的な実施形態が示されている。この実施形態において、下側シャーシ部６は、好ましくは曲線状に形成された少なくとも１つの第二の接触面１９を含み、上側シャーシ部５は、平坦である少なくとも１つの第一の接触面１１を有する。他の代替的な実施形態において、第一の接触面１１と第二の接触面１９の両方がラジアス形状か、他の、その目的のために適当に形成されたアーチ型であることも考えられる。また、第一の接触面１１および／または第二の接触面１９が部分的にのみ曲線状に形成されることも考えられる。
【００２６】
本発明の一実施形態によれば、第一の接触面と第二の接触面の少なくも一方が交換可能に配置される。この場合のある例示的実施形態が図９ａ〜ｂに示されており、図中、図１から図４を参照しながら上で説明したインラインフレームと基本的に同じ構成を有するインラインフレーム１０が示されている。インラインフレーム１０は、上側シャーシ部１５と下側シャーシ部１６を備え、これらは連結および跳返要素１７によって相互に連結されている。前述のように、下側シャーシ部１６はウィールを取り付けるように構成されるが、わかりやすくするためにこれらは描かれていない。下側シャーシ部１６の本体１３の上面は第二の接触面１９を有し、これはここでは平坦であるが、その代わりに曲線状に形成されてもよい。インラインフレーム１０はさらに、長い別個のシャーシ要素１８を備え、その下面が第一の接触面１１を含む。別個のシャーシ要素の下面に配置された第一の接触面１１は、ここでは曲線状に形成される。別個のシャーシ要素１８は（図９ｂの拡大図参照）、上側シャーシ部１５と下側シャーシ部１６の間に適合するように構成され、その上面３１は上側シャーシ部の下側接触面３３に少なくとも部分的に当たるようになされ、これによって第一の接触面を含む交換可能なシャーシが形成される。シャーシ要素１８はさらに、この別個のシャーシ要素１８を連結要素１７によって上側シャーシ部１５と下側シャーシ要素１６の間の所定の位置に保持するための貫通穴３０を有する。連結要素１７により、上側シャーシ部１５、別個のシャーシ要素１８、および下側シャーシ部１６をインラインフレーム１０の方向に沿って相互に関して回転させることができる。インラインフレームから取り外すことが可能な別個のシャーシ要素１８を設けることによって、これは交換可能となり、すなわち、それゆえ、第一の接触面を有し、第一の接触面の曲率が違う、異なるシャーシ要素をインラインフレームに使用することができる。
【００２７】
インラインフレームの一実施形態によれば、第一の接触面を含む別個のシャーシ要素を設ける代わりに、その別個のシャーシ要素が、その下面が下側シャーシ部の上側接触面と少なくとも部分的に当たり、その一方で、その別個のシャーシ要素の上面が第二の接触面（図示せず）を含むように構成される。
【００２８】
インラインフレームの一実施形態によれば、図１０に示されるように、本発明のコンセプトによる第一と第二の接触面を両方有する別個のシャーシ要素１８が配置される。長い本体であり、その中で上面と第二の面がどちらも湾曲している別個のシャーシ要素１８を考える。第一の観点からは、別個のシャーシ要素１８の上面３１は、上側シャーシ要素１５の下側接触面に少なくとも部分的に当たり、上側シャーシ要素１５の一部を形成し、その一方で、その下側接触面は第一の接触面１１となり、これが下側シャーシ要素１６の上側接触面１９に作用し、この上側接触面１９が、対応する第二の接触面となる。同時に、別個のシャーシ要素の上面１９’を上側シャーシ要素１５の下側接触面に作用する第二の接触面として考えると、その下側接触面はすると、対応する第一の接触面１１’となり、別個のシャーシ要素１８の下側接触面３１’が下側シャーシ要素１６の上側接触面３３’に少なくとも部分的に当たり、下側シャーシ要素の一部を形成する。すなわち、上側および下側シャーシ部のための第一と第二の接触面が２組できる。
【００２９】
インラインフレームの一実施形態において、上側シャーシ部または下側シャーシ部に突出する案内部を設け（たとえば、図９ａの上側シャーシ部１５の案内部２６参照）、別個のシャーシ要素１８にそれに対応する受容部を設けて（または逆も可）（図９ｂの受容部３２参照）、別個のシャーシ要素の正しい位置付けを容易にする。
【００３０】
引き続き図９を参照すると、第一の接触面１１と第二の接触面１９の少なくとも一方を交換可能に構成することによって、使用者は、下側シャーシ部１６と上側シャーシ部１５の間の運動量を好都合に調整できる。インラインフレーム１０の第一の接触面１１と第二の接触面１９の少なくとも一方を、より大きな半径の、または別のその目的のために適当な形状とされたアーチ型の接触面と交換することによって、下側シャーシ部１６と上側シャーシ部１５の間の運動の最大振幅が減少する。その反対に、インラインフレーム１０の第一の接触面１１と第二の接触面１９の少なくとも一方を、より小さな半径の、または別のその目的のために適当な形状とされたアーチ型の接触面に交換することによって、下側シャーシ部１６と上側シャーシ部１５の間の最大振幅が増大する。好ましくは、第一と第二の接触面の少なくとも一方を含む別個のシャーシ要素は、その対応するシャーシ部に固定されず、それゆえ、いかなる固定手段も使用せずに自由に配置されるが、連結要素１７によって上側シャーシ部１５と下側シャーシ部１６に加えられる圧縮力によって所定の位置に保持される。あるいは、第一と第二の接触面の少なくとも一方を含む別個のシャーシ要素は、たとえばねじ留め、接着剤によって、またはクリップ等の簡易固定手段を用いることによって、対応する上側または下側シャーシ部に固定される。
【００３１】
インラインフレームの一実施形態によれば、第一と第二の接触面の少なくとも一方を含む別個のシャーシ要素は、２つの別個の部分に分割される。好ましくは、別個のシャーシ要素は、第一および／または第二の接触面がインラインフレームの横方向に分かれるように分割され（たとえば、第一の接触面１１を有する、図９を参照しながら説明した別個のシャーシ要素１８と同様の別個のシャーシ要素２８を示す図１１ａ参照）、この別個のシャーシ要素２８はさらに、別個の前部２８ａと別個の後部２８ｂを含むように構成される。図１１ｂは、分離された時の前部２８ａと後部２８ｂを示している。別個のシャーシ要素２８はその中央で分割され、貫通穴３０が分割される。これによって、インラインフレーム１０の別個のシャーシ要素２８の取り外し、取り付けが容易となり、それは、連結要素１７を貫通穴３０に挿入する際、完全に取り外す必要がないからである。前部２８ａと後部２８ｂは、反対方向から（それぞれ、インラインフレームの前と後ろから）挿入することによって、上側シャーシ部１５と下側シャーシ部１６の間の正しい位置に取り付けてもよい。前部２８ａと後部２８ｂは、何れかの適当な固定手段、たとえばクリップ、ねじ、その部分の断面２８ｃと２８ｄに配置される突起とこれに対応する受容部（図示せず）等によって所定の位置に保持される。
【００３２】
第一の接触面または第二の接触面を含む別個のシャーシ要素を２つの部分、すなわち前部と後部に分割することによって、第一および／または第二の接触面に沿った曲率の半径Ｒおよび／または形状は、異なる半径の、および／またはその目的のための、異なる、適当な形状のアーチ型の前部と後部を組み合わせることによって、使用者の選択に合わせることができる。図１１ｃは、第一の半径Ｘを有する第一の接触面１１ａを含む前部２８ａと、第二の半径Ｙを有する第二の接触面１１ｂを含む後部２８ｂを備える上側シャーシ要素２８を描いている。
【００３３】
インラインフレームの一実施形態によれば、第一と第二の接触面の少なくとも一方を含む別個のシャーシ要素は、インラインフレーム（図示せず）の長さ方向に、上側または下側シャーシ部に関して調整可能に配置される。それゆえ、第一の接触面の位置は、上側シャーシ部の位置に関して調整可能であり、および／または第二の接触面の位置は、下側シャーシ部の位置に関して調整可能である。好ましくは、第一の接触面および／または第二の接触面は、インラインフレームの長さ方向に調整可能である。これによって、使用者は曲率半径を足の下の好ましい位置に位置付けることができる。それによって、有利には、使用者の個人的なスケーティングスタイルに適応させることが可能となる。
【００３４】
インラインフレームの一実施形態によれば、下側シャーシ部は上側シャーシ部に関して調節可能に配置される。好ましくは、下側シャーシ部はインラインフレームの長さ方向に調整可能である。
【００３５】
インラインフレームの代替的な実施形態によれば、連結要素は上側シャーシ部または下側シャーシ部に関して調整可能に配置される。好ましくは、連結要素はインラインフレームの長さ方向に調整可能である。
【００３６】
代替的な実施形態において、心棒２３が下側シャーシ部６または上側シャーシ部５に一体化されることが考えられる。また、ナット２５が下側シャーシ部６または上側シャーシ部５に一体化されることも考えられる。
【００３７】
インラインフレームの一実施形態によれば、ブッシュ２４は上側シャーシ部または下側シャーシ部に一体化される。
【００３８】
代替的な実施形態において、ブッシュ２４は、少なくとも１つのばねまたは、その目的に適したばね（弾性）要素を有する少なくとも１つの他の構成要素で構成してもよい。
【００３９】
インラインフレームの代替的な実施形態によれば、連結要素はブッシュ２４を用いずに配置される。
【００４０】
代替的な実施形態において、上側シャーシ部５をブーツ２に一体化し得ることが考えられる。
【００４１】
特定の好ましい実施形態を詳しく説明したが、本発明の範囲内の変更や改良は当業者にとって明白となり得、これらはすべて、以下の特許請求の範囲の中に含まれるとみなされる。たとえば、ウィールの数やウィール間の距離は、本発明の範囲内で大きく変化させることができる。それゆえ、インラインフレーム１、１０はまた、３つのウィール、および５つまたはそれ以上のウィールさえ含んでいてもよい。
【００４２】
代替的な実施形態では、インラインフレーム１が少なくとも２つの連結要素７を含むことが考えられる。インラインフレーム１に３つのウィールが取り付けられた場合、第一の連結要素７は、たとえば第一のウィール１４と第二のウィール１５の間に配置されてもよい。この場合、第二の連結要素７は第二のウィール１５と第三のウィール１６の間に設置される。インラインフレーム１が４つのウィールを有する場合、第一の連結要素は、代替的な実施形態において、第一のウィール１４と第二のウィール１５の間に設置されてもよい。この場合、第二の連結要素７は第三のウィール１６と第四のウィール１７の間に設置されてもよい。インラインフレーム１が５つのウィールを有する場合、第一の連結要素は、代替的な実施形態において、第一のウィール１４と第二のウィール１５の間、または第二のウィール１５と第三のウィール１６の間に設置してもよい。第二の連結要素７は、第四のウィール１７と第五のウィールの間、または第三のウィール１６と第四のウィール１７の間に設置してもよい。
【００４３】
代替的な実施形態において、すべてのウィールが同じ直径であり、垂直方向に、すべてのウィールが同時に地面と接触するように配置されることが考えられる。
【００４４】
本発明の詳細な説明において、当業者にとって明らかな設計の詳細は省略されている場合がある。このような自明な設計の詳細は、本発明が適正に、十分に実行できるようにするうえで必要な範囲でのみ含められている。たとえば、ワッシャ、ねじ、車軸、軸受、寸切ボルトまたはリベットなどの構成要素は、適正な機能が得られるようにするうえで必要な範囲で含められる。
【００４５】
本発明によれば、完全に、または部分的に湾曲したブレードによる氷上でのスケーティングを模倣することができる。本発明によれば、既存の設計と比較して、トレーニング効率を大幅に改善することが可能である。本発明の設計によれば、たとえば、アイスホッケーの選手は、インラインスケートで、氷上での滑走時と同じバランス要素を実現することが可能となる。このバランス要素は、たとえばアイスホッケーの選手が氷上で経験するものと同様の筋活性をもたらす。これは、本発明により、フィットネスおよびスピードトレーニングの効果を氷上でのスケーティングに反映させることが可能となるため、重要な利益をもたらす。さらに、ホッケー選手は、氷上のそれよりはるかに難しいバランス要素を伴うスケーティングをすることが可能である。これは、スケータが体のバランス感覚を鍛え、その運動パターンの改善を強いるため、非常に有利である。これは、より効率的な運動と、また改善されたバランスにつながり、これらはどちらも、アイスホッケーの選手がゲームの中で直面するあらゆる局面における優れた技術的実践に不可欠である。別の利点は、バランス要素とウィール同士の配置とによって、方向転換中にインラインフレームがいかに扱いやすくなるかという点である。これによって、アイスホッケーのブレードとその氷上での特性との類似性が高まる。この特徴はまた、プロ以外のスケータにとっても、ストライド間の円滑な移行が可能で、方向変換によりよく対処できるという点で、有利である。その結果、スケーティングがより快適で、より厄介ではないものと感じられる。さらに別の利益は、バランス要素による、たとえばバックの問題の防止と対応に役立つ体の安定筋に作用するトレーニング効果である。
【図１】
0005862966.tif 000002
【図２】
0005862966.tif 000003
【図３】
0005862966.tif 000004
【図４】
0005862966.tif 000005
【図５Ａ】
0005862966.tif 000006
【図５Ｂ】
0005862966.tif 000007
【図５Ｃ】
0005862966.tif 000008
【図６Ａ】
0005862966.tif 000009
【図６Ｂ】
0005862966.tif 000010
【図６Ｃ】
0005862966.tif 000011
【図７Ａ】
0005862966.tif 000012
【図７Ｂ】
0005862966.tif 000013
【図７Ｃ】
0005862966.tif 000014
【図８Ａ】
0005862966.tif 000015
【図８Ｂ】
0005862966.tif 000016
【図８Ｃ】
0005862966.tif 000017
【図９Ａ】
0005862966.tif 000018
【図９Ｂ】
0005862966.tif 000019
【図１０】
0005862966.tif 000020
【図１１Ａ】
0005862966.tif 000021
【図１１Ｂ】
0005862966.tif 000022
【図１１Ｃ】
0005862966.tif 000023